(57)【要約】【課題】  断熱板１とその片面を覆う内装材２を有する内装用断熱パネルＡ1について、天井スラブの構築と同時に天井スラブと一体化して取り付けることができるようにし、もって天井構築に際しての作業上の負担および危険を軽減する。【解決手段】  内装材２側から断熱板１に差し込まれて内装材２と断熱板１を結合している取り付けピン３の先端部を、断熱板１の他面側に露出させた内装用断熱パネルＡ1とし、型枠上に、この内装用断熱パネルＡ1を、取り付けピン３の先端部が露出した側を上向きにして敷設し、その上にコンクリートを打設して天井スラブを構築することで、天井スラブの構築と同時に、天井スラブに取り付けピン３を介して内装用断熱パネルＡ1を一体化できるようにする。【選択図】      図１
2007056485.tif 000002
【特許請求の範囲】
【請求項１】
断熱板と、該断熱板の片面を覆う内装材とを備え、内装材側から断熱板に差し込まれて内装材と断熱板を連結している取り付けピンの先端部が、断熱板の他面側に露出していることを特徴とする内装用断熱パネル。
【請求項２】
断熱板の他面に、取り付けピンの先端部露出位置に対応してそれぞれ凹部が形成されており、取り付けピンの先端部が、対応する凹部内に突出していることを特徴とする請求項１に記載の内装用断熱パネル。
【請求項３】
取り付けピンの先端部の突出長さが、凹部の深さと同等またはそれ以下であることを特徴とする請求項２に記載の内装用断熱パネル。
【請求項４】
断熱板の他面に、複数の取り付けピンの先端部露出位置に跨る溝条が形成されており、取り付けピンの先端部が、該溝条内に突出していることを特徴とする請求項１に記載の内装用断熱パネル。
【請求項５】
取り付けピンの先端部の突出長さが、溝条の深さと同等またはそれ以下であることを特徴とする請求項４に記載の内装用断熱パネル。
【請求項６】
型枠上に、請求項１〜５のいずれか１項に記載の内装用断熱パネルを、取り付けピンの先端部が露出した断熱板の他面側を上向きにして敷設し、この内装用断熱パネル上にコンクリートを打設して天井スラブを構築すると共に、天井スラブに取り付けピンを介して内装用断熱パネルを一体化させることを特徴とする天井の構築方法。
【請求項７】
敷設した内装用断熱パネル間の合わせ目をノロ防止テープで塞いだ後にコンクリートを打設することを特徴とする請求項６に記載の天井の構築方法。
【発明の詳細な説明】
【技術分野】
【０００１】
本発明は、建物の内装用、特に鉄筋コンクリートの天井スラブの内装用として好適な、断熱板の片面に内装材を取り付けた内装用断熱パネルおよび該内装用断熱パネルを用いた天井の構築方法に関する。
【背景技術】
【０００２】
従来、天井の構築は、天井スラブの表面（下面）に、予め天井スラブに設けておいたホールインアンカーにボルトをねじ込んで下地材を取り付け、さらに下地材の表面に内装材を取り付けることで行われている（例えば、特許文献１参照）。
【０００３】
【特許文献１】特開２００２−２１２９３号公報（段落００３１、００３２、００２３および図９、１０参照）
【発明の開示】
【発明が解決しようとする課題】
【０００４】
しかしながら、天井スラブの表面に下地材や内装材を取り付ける作業は、重い材料を持ち上げ、上向きにのけ反った不自然かつ不安定な姿勢で行うことになり、作業者に多大な負担がかかるだけでなく、足場からの転落事故も生じやすくなる問題がある。
【０００５】
また、例えば地下駐車場の天井などの場合、断熱板とその片面を覆う内装材を有する内装用断熱パネルを天井スラブにビス止めすることで、１回の作業で内装工事を完了することができるようにすることも行われている。しかし、作業時間は短縮されるものの、作業自体は同じであることから、根本的な解決策とはなっていない。
【０００６】
本発明は、上記従来の問題点に鑑みてなされたもので、断熱板とその片面を覆う内装材を有する内装用断熱パネルについて、天井スラブの構築と同時に天井スラブと一体化して取り付けることができるようにし、もって天井構築に際しての作業上の負担および危険を軽減することを目的とする。
【課題を解決するための手段】
【０００７】
上記目的のために、本発明の第１は、断熱板と、該断熱板の片面を覆う内装材とを備え、内装材側から断熱板に差し込まれて、内装材と断熱板を連結している取り付けピンの先端部が、断熱板の他面側に露出していることを特徴とする内装用断熱パネルを提供するものである。
【０００８】
上記本発明の第１は、断熱板の他面に、取り付けピンの先端部露出位置に対応してそれぞれ凹部が形成されており、取り付けピンの先端部が、対応する凹部内に突出していること、
取り付けピンの先端部の突出長さが、凹部の深さと同等またはそれ以下であること、
断熱板の他面に、複数の取り付けピンの先端部露出位置に跨る溝条が形成されており、取り付けピンの先端部が、該溝条内に突出していること、
取り付けピンの先端部の突出長さが、溝条の深さと同等またはそれ以下であること、
をその好ましい態様として含むものである。
【０００９】
また、本発明の第２は、型枠上に、上記本発明の第１に係るいずれかの内装用断熱パネルを、取り付けピンの先端部が露出した断熱板の他面側を上向きにして敷設し、この内装用断熱パネル上にコンクリートを打設して天井スラブを構築すると共に、天井スラブに取り付けピンを介して内装用断熱パネルを一体化させることを特徴とする天井の構築方法を提供するものである。
【００１０】
さらに、上記本発明の第２は、敷設した内装用断熱パネル間の合わせ目をノロ防止テープで塞いだ後にコンクリートを打設することをその好ましい態様として含むものである。
【発明の効果】
【００１１】
本発明の第１は本発明の第２の施工を可能にするもので、そして本発明の第２によれば、天井スラブの構築と同時に内装用断熱パネルを天井スラブに取り付けて天井を構成することができる。つまり、内装材と断熱板を結合している取り付けピンの先端部が断熱板の他面側に露出していることから、当該他面側を上向きにして天井スラブ用の型枠上に敷設し、その上にコンクリートを打設して天井スラブを構築すると、露出した取り付けピンの先端部が硬化したコンクリートに掴持され、天井スラブの構築と同時に天井スラブに取り付けられることになる。したがって、天井スラブの構築後に人手によって取り付ける手間を省略することができ、重い材料を持ち上げ、不自然かつ不安定な姿勢で行う作業に伴う負担と危険をなくすことができる。
【００１２】
本発明の第１に係る内装用断熱パネルは、先端部が天井スラブに固定される取り付けピンによって断熱材と内装材が連結されているので、内装材を金属板などで構成した場合に、例えば火災によって断熱材が消失しても、内装材が脱落することを防止することができる。また、内装用断熱パネルを天井スラブに取り付けるための取り付けピンが断熱材と内装材の連結手段をも兼ねているので、断熱材と内装材を予め接着しておくなどの手間を省略することができる。
【発明を実施するための最良の形態】
【００１３】
以下、図面に基づいて本発明をさらに説明する。
【００１４】
まず、図１〜図４に基づいて本発明の第１の例を説明する。
【００１５】
図１は本発明の第１の例に係る内装用断熱パネルの斜視図、図２は中間部を省略した図１のＩ−Ｉ断面図、図３は第１の例に係る内装用断熱パネルを用いて構築された天井の支保工撤去前の断面図、図４はジョイナーの拡大図斜視図である。
【００１６】
図１および図２に示されるように、内装用断熱パネルＡ1は、断熱板１と、この断熱板１の片面を覆う内装材２を有している。
【００１７】
断熱板１としては、軽量で断熱効果が高い合成樹脂発泡板が好ましい。合成樹脂発泡板としては、例えばポリスチレン発泡板、ポリエチレン発泡板、ポリウレタン発泡板などを用いることができるが、特に吸湿しにくく、耐久性および断熱性に優れることから、ポリスチレン発泡板が好ましい。
【００１８】
内装材２としては、建物や内部空間の用途などに応じて適宜選択することができる。耐火性を向上させるためには、例えばガルバリウム鋼板、化粧鋼板、アルミニウム板、ケイ酸カルシウム板などを好ましく用いることができるが、これらの中でも、ノロが付着した場合にも拭き取り除去しやすく、しかも意匠性にも優れることから、ガルバニウム鋼板が特に好ましい。
【００１９】
上記内装材２側からは、内装材２を貫通して断熱板１に複数本の取り付けピン３が差し込まれており、断熱板１と内装材２が連結されている。断熱材１と内装材２の連結は、両者間に接着剤を塗布しておくことで行うこともできる。しかし、そのような手間をかけずに、断熱材１と内装材２を重ねて取り付けピン３をねじ込んだり押し込むことで両者を容易に連結できるので、内装用断熱パネルＡ1の製造上の手間を軽減することができる。
【００２０】
各取り付けピン３は、断熱板１を貫通しており、先端部が断熱板１の他面側（内装材２とは反対側）に露出している。この露出した取り付けピン３の先端部分は、後述するように、天井スラブ４を構成するコンクリートに接着されて掴持される部分である。取り付けピン３は、コンクリートとの高い結合力が得られるよう、少なくとも上記先端部分にねじが切られたビス状のものが好ましい。
【００２１】
断熱板１および内装材２は長方形状をなしており、内装材２の両長辺側の側縁はそれぞれ対応する断熱板１の側面へ折り当てられ、内装用断熱パネルＡ1の剛性が高められている。また、断熱板１の両短辺側側面には、それぞれ後述するジョイナー５を取り付けるための切り込み６が形成されている。断熱板１の長辺側は、合決加工を施しておき、敷設するときに隣接する辺同士を重ねて、ノロの流入防止効果を高めることもできる。
【００２２】
次に、図３および図４に基づいて、上記内装用断熱パネルＡ1を用いた天井構築手順を説明する。
【００２３】
図３に示されるように、支保工７を建て込み、支保工７上に、天井スラブ４を構築するための型枠８を設置する。
【００２４】
次いで、型枠８上に内装用断熱パネルＡ1を敷設する。この内装用断熱パネルＡ1の敷設は、取り付けピン３の先端部が露出した断熱板１の他面側を上向きにして行う。また、内装用断熱パネルＡ1の内装材２表面を保護すると共に、ノロの漏れだし防止のために、型枠６上に養生用のポリエチレンシート（図示されていない）を敷設した上に内装用断熱パネルＡ1を敷設することが好ましい。
【００２５】
本例の内装用断熱パネルＡ1は、短辺同士と長辺同士がそれぞれ突き当てられて敷設されている。長辺同士はそのまま突き当てられ、短辺同士の突き当て部分には、ジョイナー５が介在されている。このジョイナー５は、図４に示されるように、断面Ｔ字形をなす金属棒材の縦片５ａを中間部で左右一方にほぼ直角に屈曲さて挿入片５ｂとしたＪ形断面形状の棒材となっている。このジョイナー５は、挿入片５ｂが前記断熱板１の切り込み６に差し込まれて、複数枚の内装用断熱パネルＡ1に跨って、短辺同士の突き当て部分に介在されており、Ｔ字形部分の横片５ｃが継ぎ目を覆うものとなっている。このようなＪ形断面のジョイナー５を用いると、突き当てられた一方の内装用断熱パネルＡ1の切り込み６に挿入片５ｂを差し込むだけでジョイナー５を取り付けることができ、取り付け作業性が向上する。
【００２６】
上記ジョイナー５の使用は必須のものではないが、仕上がり状態が向上することから、使用することが好ましい。
【００２７】
上記のようにして内装用断熱パネルＡ1を型枠８上に敷設した後、敷設した内装用断熱パネルＡ1上に、天井スラブ４を構成するコンクリートを打設するが、このコンクリートの打設に先立って、内装用断熱パネルＡ1間の合わせ目をノロ防止テープ９で塞いでおき、内装用断熱パネルＡ1の内装材２側にノロが回り込むことを防止しておくことが好ましい。また、コンクリートの打設は、通常、内装用断熱パネルＡ1上に必要な配筋を施してから行う。
【００２８】
内装用断熱パネルＡ1上にコンクリートを打設すると、内装用断熱パネルＡ1の断熱板１から突出して露出している取り付けピン３の先端部周りがコンクリートで覆われ、コンクリートの硬化と共に接着されて、得られる天井スラブ４に取り付けピン３の先端部が固着される。したがって、天井スラブ４の構築と共に、該天井スラブ４に内装用断熱パネルＡ1を取り付けることができ、別途内装用断熱パネルＡ1を取り付ける作業を省略することができる。
【００２９】
図３において、支保工７を撤去することで天井の構築を完了する。得られる天井は、先端部が天井スラブ４に掴持された取り付けピン３を介して内装用断熱パネルＡ1が取り付けられた状態となり、内装用断熱パネルＡ1の強固で確実な取り付け状態が得られる。
【００３０】
次に、図５〜図７に基づいて本発明の第２の例を説明する。
【００３１】
図５は本発明の第２の例に係る内装用断熱パネルの斜視図、図６は中間部を省略した図５のＩＩ−ＩＩ断面図、図７は第２の例に係る内装用断熱パネルを用いて構築された天井の支保工撤去前の断面図である。
【００３２】
図５および図６に示されるように、本例の内装用断熱パネルＡ2においては、片面が内装材２で覆われた断熱板１の他面に、取り付けピン３の先端部露出位置に対応してそれぞれ凹部１０が形成されており、取り付けピン３の先端部が、対応する凹部１０内に突出している。図示される凹部１０は平面円形となっているが、円形以外の形状とすることもできる。
【００３３】
本例の内装用断熱パネルＡ2は、上記の点以外は前記第１の例の内装用断熱パネルＡ1と同様である。また、本例の内装用断熱パネルＡ2を用いた天井の構築手順は、前記第１の例に係る内装用断熱パネルＡ1を用いた手順と同様で、得られる天井の構造も、図７に示されるように、天井スラブ４が凹部１０に対応する凸部を有する形状となる点以外、第１の例と同様である。
【００３４】
本例の凹部１０を備えた内装用断熱パネルＡ2の場合、凹部１０の深さによって、取り付けピン３先端部の露出長さを調整することができる。また、取り付けピン３の先端部の突出長さを、凹部１０の深さと同等またはそれ以下としておくと、型枠８上に敷設された内装用断熱パネルＡ2上で作業を行う場合に、作業者が取り付けピン３につまずいたり踏み抜いてしまうことを防止することができる。
【００３５】
次に、図８および図９に基づいて本発明の第２の例を説明する。
【００３６】
図８は本発明の第３の例に係る内装用断熱パネルの斜視図、図９は中間部を省略した図８のＩＩＩ−ＩＩＩ断面図である。
【００３７】
図８および図９に示されるように、本例の内装用断熱パネルＡ3においては、片面が内装材２で覆われた断熱板１の他面に、複数の取り付けピン３の先端部露出位置に跨る溝条１１が形成されており、取り付けピン３の先端部が、該溝条１１内に突出している。図示される溝条１１は長辺に沿って形成されたものとなっているが、取り付けピン３の位置に応じて、短辺に沿って形成したり、斜めに形成したりすることもできる。
【００３８】
本例の内装用断熱パネルＡ3は、上記の点以外は前記第１の例の内装用断熱パネルＡ1と同様である。また、本例の内装用断熱パネルＡ3を用いた天井の構築手順は、前記第１の例に係る内装用断熱パネルＡ1を用いた手順と同様で、得られる天井の構造も、天井スラブ４（図７参照）が溝条１１に対応する凸条を有する形状となる点以外、第１の例と同様である。
【００３９】
本例の溝条１１を備えた内装用断熱パネルＡ2の場合、溝条１１の深さによって、取り付けピン３先端部の露出長さを調整することができる。また、取り付けピン３の先端部の突出長さを、溝条１１の深さと同等またはそれ以下としておくと、型枠８（図７参照）上に敷設された内装用断熱パネルＡ3上で作業を行う場合に、作業者が取り付けピン３を踏み抜いてしまうことを防止することができる。これらの効果は前記第２の例と同様であるが、本例の溝条１１は第２の例の凹部１０に比して加工しやすい利点がある。
【００４０】
本発明に係る内装用断熱パネルは、天井構築用として用いる他、乾式断熱二重壁の構築に用いることもできる。例えば地下階の壁面において、壁面との間に排水空間を確保するための下地材を適宜の間隔で設け、この下地材に本発明に係る内装用断熱パネルを取り付けピンで固定することで、断熱二重壁を構成することもできる。
【図面の簡単な説明】
【００４１】
【図１】本発明の第１の例に係る内装用断熱パネルの斜視図である。
【図２】中間部を省略した図１のＩ−Ｉ断面図である。
【図３】第１の例に係る内装用断熱パネルを用いて構築された天井の支保工撤去前の断面図である。
【図４】ジョイナーの拡大図斜視図である。
【図５】本発明の第２の例に係る内装用断熱パネルの斜視図である。
【図６】中間部を省略した図５のＩＩ−ＩＩ断面図である。
【図７】第２の例に係る内装用断熱パネルを用いて構築された天井の支保工撤去前の断面図である。
【図８】本発明の第３の例に係る内装用断熱パネルの斜視図である。
【図９】中間部を省略した図８のＩＩＩ−ＩＩＩ断面図である。
【符号の説明】
【００４２】
１    断熱板
２    内装材
３    取り付けピン
４    天井スラブ
５    ジョイナー
５ａ  縦片
５ｂ  挿入片
５ｃ  横片
６    切り込み
７    支保工
８    型枠
９    ノロ防止テープ
１０  凹部
１１  溝条
【図１】
2007056485.tif 000003
【図２】
2007056485.tif 000004
【図３】
2007056485.tif 000005
【図４】
2007056485.tif 000006
【図５】
2007056485.tif 000007
【図６】
2007056485.tif 000008
【図７】
2007056485.tif 000009
【図８】
2007056485.tif 000010
【図９】
2007056485.tif 000011